【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
マシン−マシン（Ｍ２Ｍ）無線ワイドエリアネットワーク（ＷＡＮ）における無線通信のための方法であって、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
１つ以上のＭ２Ｍデバイスの第１のグループ及び１つ以上のＭ２Ｍデバイスの第２のグループにチャネル割り当てメッセージをブロードキャストすることであって、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせることと、
前記第１の周波数チャネルに関する第１のライズオーバサーマル（ＲｏＴ）スレショルドを設定することと、
前記第２の周波数チャネルに関する第２のＲｏＴスレショルドを設定することであって、前記第２のＲｏＴスレショルドは、前記第１のＲｏＴスレショルドよりも低いことと、を備える、方法。
【請求項２】
前記第１の周波数チャネルを用いて前記逆方向リンクで送信するために複数のＭ２Ｍデバイスから、１つ以上のＭ２Ｍデバイスの前記第１のグループを識別することと、
前記第２の周波数チャネルを用いて前記逆方向リンクで送信するために前記複数のＭ２Ｍデバイスから、１つ以上のＭ２Ｍデバイスの前記第２のグループを識別することと、をさらに備える請求項１に記載の方法。
【請求項３】
１つ以上のＭ２Ｍデバイスの前記第１のグループ及び第２のグループを識別することは、
前記複数のＭ２Ｍデバイスから、第１の地理上のエリア内に位置する１つ以上のＭ２Ｍデバイスを識別することと、
前記複数のＭ２Ｍデバイスから、第２の地理上のエリア内に位置する１つ以上のＭ２Ｍデバイスを識別することと、を備える請求項２に記載の方法。
【請求項４】
前記第１のＲｏＴスレショルドを有する前記第１の周波数チャネルに前記第１の地理上のエリア内に位置する前記１つ以上のＭ２Ｍデバイスを割り当てることと、
前記第２のＲｏＴスレショルドを有する前記第２の周波数チャネルに前記第２の地理上のエリア内に位置する前記１つ以上のＭ２Ｍデバイスを割り当てることと、をさらに備え、前記第２の地理上のエリアは、順方向リンクで前記１つ以上のＭ２Ｍデバイスと通信中のデバイスからの経路損失が前記第１の地理上のエリアよりも大きい請求項３に記載の方法。
【請求項５】
１つ以上のＭ２Ｍデバイスの前記第１のグループ及び第２のグループを識別することは、
前記複数のＭ２Ｍデバイスから、データレートスレショルドを満たすデータレートで前記逆方向リンクで以前に送信している１つ以上のＭ２Ｍデバイスを識別することと、
前記複数のＭ２Ｍデバイスから、前記データレートスレショルドを満たさないデータレートで前記逆方向リンクで以前に送信している１つ以上のＭ２Ｍデバイスを識別することと、を備える請求項２に記載の方法。
【請求項６】
前記データレートスレショルドを満たす前記データレートで前記逆方向リンクで以前に送信している前記１つ以上のＭ２Ｍデバイスを、前記第１のＲｏＴスレショルドを有する前記第１の周波数チャネルに割り当てることと、
前記データレートスレショルドを満たさない前記データレートで前記逆方向リンクで以前に送信している前記１つ以上のＭ２Ｍデバイスを、前記第２のＲｏＴスレショルドを有する前記第２の周波数チャネルに割り当てることと、をさらに備える請求項５に記載の方法。
【請求項７】
１つ以上のＭ２Ｍデバイスの前記第１のグループ及び第２のグループを識別することは、
前記複数のＭ２Ｍデバイスの前記Ｍ２Ｍデバイスのうちの１つ以上において受信された順方向リンクの強度を推定することを備える請求項２に記載の方法。
【請求項８】
１つ以上のＭ２Ｍデバイスの前記第１のグループを、前記第１のＲｏＴスレショルドを有する前記第１の周波数チャネルに割り当てることと、
１つ以上のＭ２Ｍデバイスの前記第２のグループを、前記第２のＲｏＴスレショルドを有する前記第２の周波数チャネルに割り当てることと、をさら備え、前記第２のグループにおいて受信された前記順方向リンクの前記推定される強度は、前記第１のグループにおいて受信された前記順方向リンクの前記推定される強度よりも低い請求項７に記載の方法。
【請求項９】
前記第１又は第２の周波数チャネルに関する前記第１又は第２のＲｏＴスレショルドを調整すべきかどうかを決定することをさらに備える請求項１に記載の方法。
【請求項１０】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項９に記載の方法。
【請求項１１】
前記第１の周波数チャネルを使用しているＭ２Ｍデバイスの前記数が減少していると決定した時点で前記第１の周波数チャネルの前記第１のＲｏＴスレショルドを動的に引き下げることをさらに備える請求項１０に記載の方法。
【請求項１２】
前記第１の周波数チャネルを使用しているＭ２Ｍデバイスの前記数が増加していると決定した時点で前記第１の周波数チャネルの前記第１のＲｏＴスレショルドを動的に引き上げることをさらに備える請求項１０に記載の方法。
【請求項１３】
前記第１及び第２の周波数チャネルを使用する前記逆方向リンクでの通信のために符号分割多元接続（ＣＤＭＡ）を実装することをさらに備える請求項１に記載の方法。
【請求項１４】
ＲｏＴスレショルドは、周波数チャネルの熱雑音を上回る前記周波数チャネル上の信号干渉の量を表す請求項１に記載の方法。
【請求項１５】
マシン−マシン（Ｍ２Ｍ）無線ワイドエリアネットワーク（ＷＡＮ）における無線通信のために構成された基地局であって、
プロセッサと、
前記プロセッサと電子的通信状態にあるメモリと、
前記メモリ内に格納された命令と、を備え、前記命令は、
前記Ｍ２Ｍ無線ＷＡＮの動作周波数帯域を少なくとも第１の周波数チャネル及び第２の周波数チャネルに分割するために前記プロセッサによって実行可能であり、前記第１及び第２の周波数チャネルは、逆方向リンクでの通信のために使用され、
１つ以上のＭ２Ｍデバイスの第１のグループ及び１つ以上のＭ２Ｍデバイスの第２のグループにチャネル割り当てメッセージをブロードキャストするために前記プロセッサによって実行可能であり、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせ、
前記第１の周波数チャネルに関して第１のライズオーバサーマル（ＲｏＴ）スレショルドを設定するために前記プロセッサによって実行可能であり、
前記第２の周波数チャネルに関する第２のＲｏＴスレショルドを設定するために前記プロセッサによって実行可能であり、前記第２のＲｏＴスレショルドは、前記第１のＲｏＴスレショルドよりも低い、基地局。
【請求項１６】
前記命令は、
前記第１又は第２の周波数チャネルに関して前記第１又は第２のＲｏＴスレショルドを調整すべきかどうかを決定するために前記プロセッサによってさらに実行可能である請求項１５に記載の基地局。
【請求項１７】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項１６に記載の基地局。
【請求項１８】
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能である請求項１７に記載の基地局。
【請求項１９】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項１７に記載の基地局。
【請求項２０】
前記命令は、
前記第１及び第２の周波数チャネルを使用する前記逆方向リンクでの通信のために符号分割多元接続（ＣＤＭＡ）を実装するために前記プロセッサによってさらに実行可能である請求項１５に記載の基地局。
【請求項２１】
ＲｏＴスレショルドは、周波数チャネルの熱雑音を上回る前記周波数チャネル上の信号干渉の量を表す請求項１５に記載の基地局。
【請求項２２】
マシン−マシン（Ｍ２Ｍ）無線ワイドエリアネットワーク（ＷＡＮ）における無線通信のために構成された装置であって、
メモリと、
プロセッサと、を備え、前記プロセッサは、
前記Ｍ２Ｍ無線ＷＡＮの動作周波数帯域を少なくとも第１の周波数チャネル及び第２の周波数チャネルに分割することであって、前記第１及び第２の周波数チャネルは、逆方向リンクでの通信のために使用されることと、
１つ以上のＭ２Ｍデバイスの第１のグループ及び１つ以上のＭ２Ｍデバイスの第２のグループにチャネル割り当てメッセージをブロードキャストすることであって、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせることと、
前記第１の周波数チャネルに関する第１のライズオーバサーマル（ＲｏＴ）スレショルドを設定することと、
前記第２の周波数チャネルに関する第２のＲｏＴスレショルドを設定することであって、前記第２のＲｏＴスレショルドは、前記第１のＲｏＴスレショルドよりも低いことと、
を行うように構成される、装置。
【請求項２３】
前記プロセッサは、
前記第１又は第２の周波数チャネルに関する前記第１又は第２のＲｏＴスレショルドを調整すべきかどうかを決定するようにさらに構成される請求項２２に記載の装置。
【請求項２４】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項２３に記載の装置。
【請求項２５】
前記プロセッサは、
前記第１の周波数チャネルを使用しているＭ２Ｍデバイスの前記数が減少していると決定した時点で前記第１の周波数チャネルの前記第１のＲｏＴスレショルドを動的に引き下げるようにさらに構成される請求項２４に記載の装置。
【請求項２６】
前記プロセッサは、
前記第１の周波数チャネルを使用しているＭ２Ｍデバイスの前記数が増加していると決定した時点で前記第１の周波数チャネルの前記第１のＲｏＴスレショルドを動的に引き上げるようにさらに構成される請求項２４に記載の装置。
【請求項２７】
マシン−マシン（Ｍ２Ｍ）無線ワイドエリアネットワーク（ＷＡＮ）における無線通信を管理するためのコンピュータプログラム製品であって、
前記Ｍ２Ｍ無線ＷＡＮの動作周波数帯域を少なくとも第１の周波数チャネル及び第２の周波数チャネルに分割するためにプロセッサによって実行可能な命令であって、前記第１及び第２の周波数チャネルは、逆方向リンクでの通信のために使用される命令、
１つ以上のＭ２Ｍデバイスの第１のグループ及び１つ以上のＭ２Ｍデバイスの第２のグループにチャネル割り当てメッセージをブロードキャストするために前記プロセッサによって実行可能な命令であって、前記チャネル割り当てメッセージは、前記第１の周波数チャネルを用いて前記逆方向リンクで送信することを１つ以上のＭ２Ｍデバイスの前記第１のグループに知らせ、及び、前記チャネル割り当てメッセージは、前記第２の周波数チャネルを用いて前記逆方向リンクで送信することを１つ以上のＭ２Ｍデバイスの前記第２のグループに知らせる命令、
前記第１の周波数チャネルに関して第１のライズオーバサーマル（ＲｏＴ）スレショルドを設定するために前記プロセッサによって実行可能な命令、
前記第２の周波数チャネルに関する第２のＲｏＴスレショルドを設定するために前記プロセッサによって実行可能な命令であって、前記第２のＲｏＴスレショルドは、前記第１のＲｏＴスレショルドよりも低い命令、を格納している非一時的なコンピュータによって読み取り可能な媒体を備える、コンピュータプログラム製品。
【請求項２８】
前記命令は、
前記第１又は第２の周波数チャネルに関して前記第１又は第２のＲｏＴスレショルドを調整すべきかどうかを決定するために前記プロセッサによってさらに実行可能である請求項２７に記載のコンピュータプログラム製品。
【請求項２９】
前記第１又は第２のＲｏＴスレショルドを調整することの前記決定は、前記逆方向リンクで通信するために前記第１又は第２の周波数チャネルを使用するＭ２Ｍデバイスの数の変化に少なくとも部分的に基づく請求項２８に記載のコンピュータプログラム製品。
【請求項３０】
前記命令は、
前記第１の周波数チャネルを使用しているＭ２Ｍデバイスの前記数が減少していると決定した時点で前記第１の周波数チャネルの前記第１のＲｏＴスレショルドを動的に引き下げるために前記プロセッサによってさらに実行可能である請求項２９に記載のコンピュータプログラム製品。
【請求項３１】
前記命令は、
前記第１の周波数チャネルを使用しているＭ２Ｍデバイスの前記数が増加していると決定した時点で前記第１の周波数チャネルの前記第１のＲｏＴスレショルドを動的に引き上げるために前記プロセッサによってさらに実行可能である請求項２９に記載のコンピュータプログラム製品。